(57)【要約】【課題】  低騒音でかつ確実に送水ホース内の残留水を排出する事を目的とするものである。【解決手段】  使用者の臀部に装着するカップと、吸引モータによりカップ内に排泄された汚物を吸引し、かつ温水ポンプにより送水ホースを介してカップ内に配設した洗浄ノズルへ洗浄水の供給等を行う処理器本体とを備えたものにおいて、温水ポンプと送水ホースとの間にエアポンプを接続し、吸引モータや温水ポンプ等を制御する制御手段により、温水ポンプにより洗浄ノズルに所定時間洗浄水を供給した後、エアポンプを所定時間作動して送水ホース内の残留水を排出する様に構成して成る。【選択図】        図１
2008149042.tif 000002
【特許請求の範囲】
【請求項１】
使用者の臀部に装着するカップと、吸引モータにより上記カップ内に排泄された汚物を吸引し、かつ温水ポンプにより送水ホースを介して上記カップ内に配設した洗浄ノズルへ洗浄水の供給等を行う処理器本体とを備えたものにおいて、上記温水ポンプと送水ホースとの間にエアポンプを接続し、上記吸引モータや温水ポンプ等を制御する制御手段により、上記温水ポンプにより上記洗浄ノズルに所定時間洗浄水を供給した後、上記エアポンプを所定時間作動して送水ホース内の残留水を排出する様に構成した事を特徴とする自動排泄物処理装置。
【請求項２】
上記カップ内に副洗浄ノズルを配設すると共に、上記送水ホースの途中より上記副洗浄ノズルに送水する副送水ホースを分岐接続し、かつこの副送水ホースに第２エアポンプを接続した事を特徴とする、上記請求項１に記載の自動排泄物処理装置。
【請求項３】
上記副送水ホースの適所に電磁開閉弁を接続すると共に、この電磁開閉弁と上記副洗浄ノズルとの間に上記第２エアポンプを接続した事を特徴とする、上記請求項２に記載の自動排泄物処理装置。
【発明の詳細な説明】
【技術分野】
【０００１】
本発明は、病院等にて自力で歩けない状態でベッドに収容されている病人や怪我人、或いは寝たきり老人等の介護に好適な自動排泄物処理装置に関する。
【背景技術】
【０００２】
寝たきり老人や病人の排便処理を行う排便処理装置では、例えば特許文献１に示される様に、被介護人の臀部にオムツカップ本体１を装着し、このオムツカップ本体と汚物タンク７を吸引ホース１９や送風ホース２１で接続し、かつ汚物タンクにバキュームモータ９を接続し、このバキュームモータにより汚物タンク内の空気を排出することで、オムツカップ本体内に排泄された排泄物を便槽内に吸引して溜める様に構成している。
【特許文献１】特開２００２−１１３０５２号公報
【発明の開示】
【発明が解決しようとする課題】
【０００３】
一方、温水タンク３内の温水を送水ポンプ５により送水ホース１７を介してオムツカップ本体内に装着された洗浄ノズルに送水し、この洗浄ノズルより被介護人の臀部に洗浄水を噴射して臀部を洗浄しているが、洗浄後に送水ホース内に水が残り、残って冷えた水が次の洗浄開始時にオムツカップ本体に供給され、被介護人に不快感を与えるという問題があり、上記特許文献１では、送風手段と送水ホースとをバイパスホース４３で接続すると共に、このバイパスホースに開閉バルブ４５を設け、洗浄時には開閉バルブを閉じてバイパスホース内への送水を阻止し、洗浄後には開閉バルブを開いてバキュームモータより送水ホース内に送風することで、送水ホース内の残留水を排水する様に構成している。
【０００４】
然しながら、上記特許文献１に示された構成では、送水ホース内への送風に実施例に示されたバキュームモータの排気を利用した場合、送風圧力の不足による残水が発生する恐れがあり、かつバキュームモータから発する音が大きいという問題がある。
【０００５】
そこで本発明は、低騒音でかつ確実に送水ホース内の残留水を排出する事を目的とするものである。
【課題を解決するための手段】
【０００６】
本発明の請求項１の構成は、使用者の臀部に装着するカップと、吸引モータによりカップ内に排泄された汚物を吸引し、かつ温水ポンプにより送水ホースを介してカップ内に配設した洗浄ノズルへ洗浄水の供給等を行う処理器本体とを備えたものにおいて、温水ポンプと送水ホースとの間にエアポンプを接続し、吸引モータや温水ポンプ等を制御する制御手段により、温水ポンプにより洗浄ノズルに所定時間洗浄水を供給した後、エアポンプを所定時間作動して送水ホース内の残留水を排出する様に構成して成るものである。
【０００７】
本発明の請求項２の構成は、請求項１の構成において、カップ内に副洗浄ノズルを配設すると共に、上記送水ホースの途中より上記副洗浄ノズルに送水する副送水ホースを分岐接続し、かつこの副送水ホースに第２エアポンプを接続して成るものである。
【０００８】
本発明の請求項３の構成は、請求項２の構成において、副送水ホースの適所に電磁開閉弁を接続すると共に、この電磁開閉弁と副洗浄ノズルとの間に第２エアポンプを接続して成るものである。
【発明の効果】
【０００９】
本発明の請求項１に記載の構成により、温水ポンプと送水ホースとの間にエアポンプを接続し、洗浄ノズルに洗浄水を供給して使用者の臀部を洗浄後、エアポンプを作動して送水ホース内の残留水を排出することで、専用のエアポンプにより確実に送水ホース内の残留水を排水し、次回の洗浄開始時における冷水の噴出を防止する事が出来るものである。
【００１０】
本発明の請求項２に記載の構成により、送水ホースの途中に副送水ホースを接続し、かつこの副送水ホースに副洗浄ノズルを接続して、洗浄ノズルと副洗浄ノズルによって使用者の臀部を洗浄すると共に、電磁開閉弁と副洗浄ノズルとの間に第２エアポンプを接続したことで、これらのノズルより洗浄水を噴出して使用者の臀部を洗浄後、エアポンプと第２エアポンプを作動して送水ホースと副送水ホース内の残留水を排出することで、送水ホースと副送水ホース内の残留水を確実に排水し、次回の洗浄時における冷水の噴出を防止する事が出来るものである。
【００１１】
本発明の請求項３に記載の構成により、副送水ホースの適所に電磁開閉弁を接続し、この電磁開閉弁と副洗浄ノズルとの間に第２エアポンプを接続したことで、電磁開閉弁の開閉により副洗浄ノズルへの給水を制御し、例えば洗浄ノズルを使用者の尻に対向位置し、副洗浄ノズルを使用者の局部に対向位置し、センサにて排便や排尿を検出してノズルからの洗浄水の噴出を選択できると同時に、エアポンプと第２エアポンプの作動時には電磁開閉弁を閉じることで、第２エアポンプの逆流を防止する事が出来るものである。
【発明を実施するための最良の形態】
【００１２】
本発明による実施例を図１に基づき説明すると、１は自動排泄処理機本体で、温水器２と、汚物タンク３と、消臭フィルター４と、吸排気ファン５と、温風ヒータ６と、制御回路７とを主に内蔵している。
【００１３】
上記温水器２は、温水ヒータ８を収納した温水タンク９の上に給水タンク１０を着脱自在に連結し、温度センサ１１にて上記温水タンク9内の水温を検出して上記温水ヒータ８への通電を制御回路７にて制御し、温水タンク9内の水温を設定温度に加熱する。
【００１４】
上記吸排気ファン５は、吸引ホース１２を上記消臭フィルター４に接続し、かつこの消臭フィルターを汚物タンク３の排気管１３に接続している。
【００１５】
１４は被介護人等の使用者の臀部に装着するカップで、臀部に温風を噴出する図示しない温風ノズルや、おしりや局部に洗浄水を噴出する洗浄ノズル１５及び副洗浄ノズル１６、カップ内への汚物の排泄を検出するセンサ１７を装着していると共に、排泄された汚物を吸引する吸引パイプ１８と、上記温風ノズルに温風を供給する温風パイプ１９を連結し、かつこれらの洗浄ノズル１５、副洗浄ノズル１６、吸引パイプ１８、温風パイプ１９等は接続チューブ２０により上記自動排泄処理機本体１の適所に装着されたコネクタ２１に着脱自在に連結される。
【００１６】
そして、上記吸排気ファン５の排気ホース２２は、上記温風ヒータ６−温風管２３−コネクタ２１−接続チューブ２０を介して上記温風パイプ１９に連通され、吸排気ファン５による送風を温風ヒータ６にて所定の設定温度に加熱してカップ１４内に供給する。
【００１７】
一方、カップ１４内に供給された温風は、上記吸排気ファン５の吸気により吸引パイプ１８より吸引されて接続チューブ２０を通った後、上記コネクタ２１に接続された吸引ホース２４を通って汚物タンク３に吸引され、この汚物タンクを経て排気管１３より消臭フィルター４を介して吸引ホース１２より吸排気ファン５に吸引され、上記の循環を繰り返す。
【００１８】
又、上記吸引パイプ１８により吸引された汚物は、汚物タンク３内にて分離されて汚物タンクに貯溜され、この貯溜された汚物より発生する臭気は上記消臭フィルター４により脱臭されるものである。
【００１９】
上記温水タンク９内の温水は、手動による洗浄操作、又はセンサ１７による排便や排尿の検出による洗浄運転により、温水ポンプ２５にて送水ホース２６−接続チューブ２０を経て洗浄ノズル１５より使用者の臀部等に向けて噴射され、かつ温水の一部は上記送水ホース２６の途中より分岐した副送水ホース２７−接続チューブ２０を経て副洗浄ノズル１６より使用者の局部に向けて噴射される。
【００２０】
一方、上記送水ホース２６の温水ポンプ２５下流にはエアポンプ２８を接続していると共に、上記副送水ホース２７の途中にも第２エアポンプ２９を接続し、かつこの副送水ホース２７の第２エアポンプ２９の接続部より上流側には電磁開閉弁３０を接続している。
【００２１】
そして、洗浄ノズル１５より洗浄水を噴出時には、電磁開閉弁３０を閉じて温水ポンプ２５を作動し、洗浄ノズル１５と副洗浄ノズル１６から洗浄水を噴出する場合には、電磁開閉弁３０を開いて温水ポンプ２５を作動することで、この温水ポンプにて温水タンク9内の温水を吸水し、送水ホース２６と副送水ホース２７を介して洗浄ノズル１５と副洗浄ノズル１６から洗浄用の温水を噴出する。
【００２２】
更に、上記洗浄ノズル１５や副洗浄ノズル１６から洗浄水を噴出して洗浄を終了すると、電磁開閉弁３０を閉じると共に、エアポンプ２８と第２エアポンプ２９を作動して送水ホース２６と副送水ホース２７内に圧縮空気を供給し、これらの送水ホース内に残った洗浄水をカップ１４内に排水し、かつ同時に吸排気ファン５を作動してカップ１４内に排出された洗浄水を汚物タンク３内に吸引する。尚、上記エアポンプ２８と第２エアポンプ２９の能力としては、接続チューブ２０の長さを２ｍ前後と想定し、１２ｋｐａ前後のポンプを利用すれば、特許文献１に示される様な吸排気ファン５を利用する場合に比較し、作動時の作動音の発生を低く抑える事が出来ると共に、ホース内の残り水を確実にカップ１４内に排水できるものである。
【００２３】
又、上記吸排気ファン５の作動と同時に温風ヒータ６に通電すれば、上記エアポンプ２８と第２エアポンプ２９からの送風による冷風感を防止する事が出来る。
【００２４】
これらの構成により、エアポンプ２８と第２エアポンプ２９により、送水ホース２６や副送水ホース２７、接続チューブ２０内の洗浄後の残り水を排水することで、次回の洗浄開始時において洗浄ノズル１５や副洗浄ノズル１６から多量の冷水が噴出することがなく、冷水の噴出による使用者の不快感を防止する事が出来るものである。
【００２５】
而して、制御回路７はセンサ１７にて排泄を検出すると、温水ポンプ２５を作動して温水タンク9内の温水を送水ホース２６−接続チューブ２０を介して洗浄ノズル１５より噴射すると共に、吸排気ファン５を作動してカップ１４内の排泄物を、吸引パイプ１８−接続チューブ２０−コネクタ２１−吸引ホース２４を介して汚物タンク３内に吸引する。
【００２６】
又上記汚物タンク３内の空気は、排気管１３にて消臭フィルター４を通過した後、吸引ホース１２より吸排気ファン５に吸引され、その後排気ホース２２−温風管２３−コネクタ２１−接続チューブ２０を介して温風パイプ１９よりカップ１４内に噴射され、以降上記の循環を繰り返す。
【００２７】
そして、上記温水ポンプ２５は予め設定した所定時間作動して使用者の臀部を洗浄し、その後温風ヒータ６に通電して温風管２３−コネクタ２１−接続チューブ２０を介して温風パイプ１９よりカップ１４内に温風を供給することで、使用者の臀部の乾燥を行う。
【００２８】
尚、上記温風ヒータ６への通電は吸排気ファン５の作動と同時に行っても良く、気温や室温に応じて通電を制御する様に構成しても良い。
【００２９】
又、排便や排尿処理に応じて副洗浄ノズル１６からも洗浄水を噴出する場合には、上記温水ポンプ２５の作動と同時に電磁開閉弁３０を開くことで、副送水ホース２７より洗浄水を供給して噴出するものである。
【図面の簡単な説明】
【００３０】
【図１】本発明の実施例を示す構成図である。
【符号の説明】
【００３１】
５    吸排気ファン（吸引モータ）
７    制御手段
１４  カップ
１５  洗浄ノズル
１６  副洗浄ノズル
２５  温水ポンプ
２６  送水ホース
２８  エアポンプ
２９  第２エアポンプ
３０  電磁開閉弁
【図１】
2008149042.tif 000003